(57)【要約】  【課題】  接触性を安定化させることができると共に撓みを生じることなく端子板を装置本体に固定することが可能な端子板の固定構造並びにこれを有する画像形成装置を提供する。  【解決手段】  端子１８が配置された端子板１７と、装置本体に対して開閉自在であって高圧電源から作像系への給電径路を有する面板２２とを有し、面板２２の開閉動作により電気的な接点が開閉される電源接続機構における端子板の固定構造において、端子板１７をねじ部材２５によって装置本体に固定する際に、端子板１７を装置本体の側板２１に対して接離する方向に移動可能に構成した。【選択図】  図３
2006039500.tif 000002
【特許請求の範囲】
【請求項１】
通電用の端子が配置された端子板と、装置本体に対して開閉自在であって高圧電源から作像系への給電径路を有する面板とを有し、前記面板の開閉動作により電気的な接点が開閉される電源接続機構における端子板の固定構造において、
前記端子板はねじ部材によって前記装置本体に固定され、前記ねじ部材による固定時において、前記端子板は前記装置本体の側板に対して接離する方向に移動可能であることを特徴とする端子板の固定構造。
【請求項２】
請求項１記載の端子板の固定構造において、
前記ねじ部材が段付ねじであることを特徴とする端子板の固定構造。
【請求項３】
請求項１または２記載の端子板の固定構造において、
前記端子板は前記ねじ部材に螺合するナットをその一面上に有し、該ナットは前記端子板により前記一面上において移動自在に支持されていることを特徴とする端子板の固定構造。
【請求項４】
請求項３記載の端子板の固定構造において、
前記ナットが板状であり、前記端子板は前記ナットを移動自在に支持する支持部を有することを特徴とする端子板の固定構造。
【請求項５】
請求項３または４記載の端子板の固定構造において、
前記ねじ部材及び前記ナットが共に金属により構成されていることを特徴とする端子板の固定構造。
【請求項６】
請求項３ないし５の何れか１つに記載の端子板の固定構造において、
前記ねじ部材はその先端に前記ナットに係合する係合部を有することを特徴とする端子板の固定構造。
【請求項７】
請求項３ないし６の何れか１つに記載の端子板の固定構造において、
前記ねじ部材は、ねじが形成されたねじ部及び前記ねじ部よりも大径であってねじが形成されていない首部とを有し、前記端子板は前記首部が嵌合するガイド形状部を有することを特徴とする端子板の固定構造。
【請求項８】
請求項１ないし７の何れか１つに記載の端子板の固定構造を有することを特徴とする画像形成装置。
【発明の詳細な説明】
【技術分野】
【０００１】
本発明は、複写機、プリンタ、ファクシミリ等の画像形成装置に関し、詳しくは電源接続のための端子板の固定構造に関する。
【背景技術】
【０００２】
複写機、プリンタ、ファクシミリ等の画像形成装置において、パワーパック（複合高圧電源）からの高圧電流をＰＣＵ（プロセスコンダクタユニット）あるいは転写ユニットといった作像系へ供給する際に給電径路を開閉可能な面板内に持たせ、面板の開閉により電気的な接点を開閉する技術が例えば「特許文献１」に開示されている。この構成によれば、ケーブルの機内引き回しを排除すると共にその長さを最短とすることができ、ノイズの発生を激減することが可能となる。
【０００３】
また、給電径路の途中に回転自在な中継導体板を設け、この中継導体板を回転させることにより高圧電源基板と作像カートリッジとにそれぞれ設けられた固定接点を接続・遮断する技術が例えば「特許文献２」に開示されている。この構成によれば、基板に直接固定された給電端子あるいは受電端子にも確実に電気接続することが可能な電源接続機構を提供することが可能となる。
【０００４】
【特許文献１】特許第２７２２４００号公報
【特許文献２】特開２００１−８３７７８号公報
【発明の開示】
【発明が解決しようとする課題】
【０００５】
従来の画像形成装置では、装置本体内部に設けられた基板に端子板をねじ止め等の方法によって固定する方法が作用されている。しかしこの方法では、装置本体の外部側から端子板に対して接離自在な接点を有する面板を設けた場合に、面板の接点が端子板に接触する際の接触性が安定化しないという問題点がある。このために端子板と基板とをねじ止めによって固定し、さらに装置本体側板と端子板とをねじ止めによって固定する方法を採用すると、装置本体側板とのねじ止めの際に端子板がねじにより引っ張られ、基板との固定部を支点として端子板が撓んでしまい、かえって接続が不安定となったり最悪の場合には端子板が破損したりしてしまうという問題点がある。
【０００６】
本発明は上記問題点を解決し、接触性を安定化させることができると共に撓みを生じることなく端子板を装置本体に固定することが可能な端子板の固定構造、並びにこれを有する画像形成装置の提供を目的とする。
【課題を解決するための手段】
【０００７】
請求項１記載の発明は、通電用の端子が配置された端子板と、装置本体に対して開閉自在であって高圧電源から作像系への給電径路を有する面板とを有し、前記面板の開閉動作により電気的な接点が開閉される電源接続機構における端子板の固定構造において、前記端子板はねじ部材によって前記装置本体に固定され、前記ねじ部材による固定時において、前記端子板は前記装置本体の側板に対して接離する方向に移動可能であることを特徴とする。
【０００８】
請求項２記載の発明は、請求項１記載の端子板の固定構造において、さらに前記ねじ部材が段付ねじであることを特徴とする。
【０００９】
請求項３記載の発明は、請求項１または２記載の端子板の固定構造において、さらに前記端子板は前記ねじ部材に螺合するナットをその一面上に有し、該ナットは前記端子板により前記一面上において移動自在に支持されていることを特徴とする。
【００１０】
請求項４記載の発明は、請求項３記載の端子板の固定構造において、さらに前記ナットが板状であり、前記端子板は前記ナットを移動自在に支持する支持部を有することを特徴とする。
【００１１】
請求項５記載の発明は、請求項３または４記載の端子板の固定構造において、さらに前記ねじ部材及び前記ナットが共に金属により構成されていることを特徴とする。
【００１２】
請求項６記載の発明は、請求項３ないし５の何れか１つに記載の端子板の固定構造において、さらに前記ねじ部材はその先端に前記ナットに係合する係合部を有することを特徴とする。
【００１３】
請求項７記載の発明は、請求項３ないし６の何れか１つに記載の端子板の固定構造において、さらに前記ねじ部材は、ねじが形成されたねじ部及び前記ねじ部よりも大径であってねじが形成されていない首部とを有し、前記端子板は前記首部が嵌合するガイド形状部を有することを特徴とする。
【００１４】
請求項８記載の発明は、請求項１ないし７の何れか１つに記載の端子板の固定構造を有する画像形成装置であることを特徴とする。
【発明の効果】
【００１５】
本発明によれば、端子板が装置本体の側板に対して接離する方向に移動可能であるため、装置本体への固定時において端子板に無理な力が加わらず端子板が撓むことがなく、電気的な接触性を安定させることができる。
【発明を実施するための最良の形態】
【００１６】
図１は、本発明の一実施形態を採用した画像形成装置を示している。タンデム型カラーレーザプリンタである画像形成装置１は、画像形成時において書き込みユニット２に設けられたポリゴンミラー３から画像データとしてのレーザ光が走査され、このレーザ光がイエロー、マゼンタ、シアン、ブラックの各色成分毎に色分解された後、各色成分が像担持体である４個の感光体ドラム４にそれぞれ照射され、各感光体ドラム４上にそれぞれ静電潜像が形成される。各感光体ドラム４上に形成された静電潜像は各感光体ドラム４に隣接して配置された４個の現像器５により顕像化され、顕像化された各静電潜像は中間転写体６の転写ベルト７上にそれぞれ一次転写される。
【００１７】
一方、給紙トレイ８から給紙ローラ９により分離給送された用紙は、レジストローラ対１０を経由して二次転写部１１へと送られる。ここで、先ほど転写ベルト７上に一次転写された画像が転写ローラ１２により用紙上に転写され、定着器１３により画像を定着された用紙は排紙部１４より排出される。
【００１８】
ここで、本発明の特徴部である作像系への給電の方法及び端子板の固定構造を説明する。本発明の第１の実施形態を示す図２において、画像形成装置１の装置本体内部には電源１５が配設されており、電源１５から供給された高圧電流はハーネス１６を介して装置本体内部に設けられた端子板１７に取り付けられた複数の板状端子１８へと送られる。装置本体の内部であって端子板１７の上方には、作像系（例えばＰＣＵ（プロセスコンダクタユニット））１９への給電を行うための複数の給電端子２０が配設されている。
【００１９】
装置本体の側板２１の外側には、装置本体の側板２１に対して開閉自在に支持された面板２２が配設されている。面板２２は各板状端子１８と対応する位置に複数のヘッダーピン２２ａを、各給電端子２０と対応する位置に複数のヘッダーピン２２ｂを有しており、導電性材料からなる各ヘッダーピン２２ａ，２２ｂは面板２２の内部において導電性部材２２ｃによって互いに接続されている。
【００２０】
上述の構成より、面板２２を装置本体の側板２１に対して閉じると各ヘッダーピン２２ａ，２２ｂが各端子１８，２０に接触し、電源１５から供給された高圧電流がハーネス１６、板状端子１８、ヘッダーピン２２ａ、導電性部材２２ｃ、ヘッダーピン２２ｂ、給電端子２０を介して作像系１９へと供給され、面板２２を装置本体の側板２１より開放すると給電が停止される。
【００２１】
図３及び図４において、端子板１７は装置本体内部に配設された電装ユニット２３に取り付けられている。端子板１７には２箇所の長穴１７ａが形成されており、この長穴１７ａを介して段付ねじ２４により電装ユニット２３に固定されている。ここで段付ねじ２４は、図５に示すように頭部２４ａ、首部２４ｂ、ねじ部２４ｃを有していて、首部２４ｂの長さは端子板１７の板厚よりも若干長くなるように形成されている。従って、段付ねじ２４による電装ユニット２３への固定後においても、端子板１７は図３に両矢印Ａで示す方向、すなわち側板２１に対して接離する方向に移動可能に構成されている。
【００２２】
さらに端子板１７にはタップ１７ｂが形成されており、端子板１７は段付ねじ２４による固定後、頭部２５ａ及び首部２５ｂ及びねじ部２５ｃを有する段付ねじ２５によって装置本体の側板２１に外側から固定される。この段付ねじ２５による固定時において、端子板１７は装置本体の側板２１に近接する向きに引っ張られるが、端子板１７が装置本体に対してスライド自在であるため端子板１７に無理な力が加わらず、端子板１７が撓むことはない。また、この固定時において段付ねじ２５を使用しているので、板状端子１８と装置本体の側板２１外面との距離Ｂを一定に保つことができ、板状端子１８とヘッダーピン２２ａとの接触性を安定させることが可能となる。
【００２３】
図６、図７、図８は、本発明の第２の実施形態を示している。この第２の実施形態は上述した第１の実施形態と比較すると、タップ１７ｂに代えて端子板１７に貫通孔１７ｃを穿設し、この貫通孔１７ｃの裏側に支持部１７ｄを端子板１７と一体に形成した点においてのみ相違しており、他の構成は同一である。
【００２４】
支持部１７ｄは上部が開放された箱形状を呈しており、その内部には固定板１７ｅが一体的に設けられている。固定板１７ｅと支持部１７ｄの背面板１７ｆとの間には空間が形成されており、この空間内にはタップ２６ａを有する板状ナット２６が入れられている。板状ナット２６は端子板１７の背面に沿って空間内を上下左右方向に移動可能な形状に形成されている。固定板１７ｅには、ねじ部２５ｃが貫通可能であって首部２５ｂが貫通不可である大きさの貫通孔１７ｇが穿設されている。
【００２５】
上述の構成により、段付ねじ２５により端子板１７を装置本体の側板２１に対して外側から固定する際に第１の実施形態と同様の作用効果を奏する他、ねじ部２５ｃとタップ２６ａとを螺合させるときに板状ナット２６が移動するため、端子板１７の固定作業を簡単に行うことができる。
【００２６】
図９は、本発明の第３の実施形態を示している。この第３の実施形態は上述した第２の実施形態と比較すると、端子板１７が貫通孔１７ｃに代えてガイド形状部１７ｈを有する点においてのみ相違しており、他の構成は同一である。
【００２７】
ガイド形状部１７ｈは端子板１７と一体形成されており、端子板１７の厚みよりも装置本体の側板２１側に突出して形成されている。ガイド形状部１７ｈには、首部２５ｂの直径よりも僅かに大きく形成され首部２５ｂがしっくりと嵌合することが可能な直径を有する嵌合孔１７ｉが穿設されている。
【００２８】
上述の構成により、段付ねじ２５により端子板１７を装置本体の側板２１に対して外側から固定する際に第２の実施形態と同様の作用効果を奏する他、首部２５ｂと嵌合孔１７ｉとによって端子板１７の位置決めが行われ、端子板１７を所定の位置に固定することができる。
【００２９】
図１０は、本発明の第３の実施形態の変形例を示している。この変形例は、段付ねじ２５がねじ部２５ｃの先端に係合部２５ｄを一体的に有する点においてのみ第３の実施形態と相違しており、他の構成は同一である。係合部２５ｄは、タップ２６ａに係合し易いようにその先端が丸みを帯びた形状に形成されている。また、この変形例は第２の実施形態にも適用可能である。
【００３０】
上述の構成により、段付ねじ２５により端子板１７を装置本体の側板２１に対して外側から固定する際に第２または第３の実施形態と同様の作用効果を奏する他、係合部２５ｄをタップ２６ａに係合させることで段付ねじ２５とナット２６とを螺合させ易くなり、組立性を向上することが可能となる。
【００３１】
第１の実施形態におけるねじ部２５ｃとタップ１７ｂ、並びに第２及び第３の実施形態及び各変形例におけるねじ部２５ｃとナット２６とをそれぞれ金属（例えば金属用３種ねじ）によって構成することにより、高圧系のメンテナンス時等において段付ねじ２５の締め付け及び取り外し作業を繰り返した場合であってもねじ締結部における部品破損を樹脂材料使用時に比して防止することができ、耐久性を向上することが可能となる。
【００３２】
上述した実施形態及び変形例において、本発明の端子板の固定構造を画像形成装置に用いた例を示したが、本発明はこれに限定されることはなく、他の同様の装置、構成にも適用することが可能である。
【図面の簡単な説明】
【００３３】
【図１】本発明の第１ないし第３の実施形態及び変形例を適用可能な画像形成装置の概略構成図である。
【図２】本発明の第１の実施形態を採用した端子板の固定構造を説明するための画像形成装置要部の概略正面図である。
【図３】本発明の第１の実施形態における端子板の固定構造を説明するための画像形成装置要部の部分正面図である。
【図４】本発明の第１の実施形態における端子板の固定構造を説明するための画像形成装置要部の部分平面図である。
【図５】本発明の第１の実施形態における端子板の固定構造を説明するための画像形成装置要部の部分断面図である。
【図６】本発明の第２の実施形態に用いられる端子板及び段付ねじの部分側断面図である。
【図７】本発明の第２の実施形態に用いられる端子板の部分正面図である。
【図８】本発明の第２の実施形態に用いられる端子板の部分平面図である。
【図９】本発明の第３の実施形態に用いられる端子板及び段付ねじの部分側断面図である。
【図１０】本発明の第３の実施形態の変形例に用いられる端子板及び段付ねじの部分側断面図である。
【符号の説明】
【００３４】
１  画像形成装置
１７  端子板
１７ｄ  支持部
１７ｈ  ガイド形状部
１８  端子（板状端子）
２１  装置本体の側板
２２  面板
２５  ねじ部材（段付ねじ）
２５ｂ  首部
２５ｃ  ねじ部
２５ｄ  係合部
２６  ナット（板状ナット）
【図１】
2006039500.tif 000003
【図２】
2006039500.tif 000004
【図３】
2006039500.tif 000005
【図４】
2006039500.tif 000006
【図５】
2006039500.tif 000007
【図６】
2006039500.tif 000008
【図７】
2006039500.tif 000009
【図８】
2006039500.tif 000010
【図９】
2006039500.tif 000011
【図１０】
2006039500.tif 000012